(57)【要約】【課題】バックライト部を支持するシャーシの蓋板がバックライト部の振動により共振するのを抑制できる表示装置を提供する。【解決手段】前側に画像表示面を有する表示部の後側に配されたバックライト部を支持するシャーシを、直方体をなす枠部材３１と、該枠部材３１の開放部を閉鎖する蓋板３２と、枠部材３１の複数の周方向位置に結合された補強桟３３，３４とを備える構成とし、該補強桟３３，３４の長手方向両側に第１突起３７，３７を突設し、第１突起３７，３７間に該第１突起３７，３７より短い長さの第２突起３８を突設し、第１突起３７，３７及び第２突起３８の先端に蓋板３２を結合することにより該蓋板３２を反らせ、バックライト部の振動により蓋板３２が共振するのを抑制できるようにした。【選択図】図２
2007108346.tif 000002
【特許請求の範囲】
【請求項１】
前側に画像表示面を有する表示部の後側に配されたバックライト部と、該バックライト部を支持するシャーシとを備える表示装置において、前記シャーシは、直方体をなす枠部材と、該枠部材の開放部を閉鎖する蓋板とを備え、前記蓋板は熱膨張による変形を抑制すべく反っていることを特徴とする表示装置。
【請求項２】
前記シャーシは、前記枠部材の複数の周方向位置に結合された補強桟を備え、前記蓋板を反らせる手段を前記補強桟に設けてある請求項１記載の表示装置。
【請求項３】
前記手段は、前記補強桟の長手方向両側に突設され先端が前記蓋板に結合された二つの第１突起と、第１突起間に該第１突起より短い長さに突設され先端が前記蓋板に結合された第２突起を有する請求項２記載の表示装置。
【発明の詳細な説明】
【技術分野】
【０００１】
本発明は液晶表示装置等の表示装置に関する。
【背景技術】
【０００２】
テレビ等の表示装置は、画像を表示する画像表示面を前側に有する表示部の裏側にバックライト部と、該バックライト部を支持するシャーシと、該シャーシの後側に取着された電気部品とを備える（例えば、特許文献１参照。）。
【０００３】
バックライト部は両端部に電極を有する複数の蛍光管を備え、該蛍光管が表示部のパネルと平行的に並置されており、夫々の蛍光管の電極にインバータ回路基板が接続され、パルス幅変調信号により明るさが制御されるように構成されている。また、シャーシは直方体をなし前記蛍光管の両端部を支持する枠部材、及び該枠部材の一端を閉鎖するアルミニウム製の蓋板を備える。
【特許文献１】特開２００２−６７５５号公報
【発明の開示】
【発明が解決しようとする課題】
【０００４】
ところで、バックライト部を支持するシャーシの蓋板は、シャーシの軽量化を図るべくアルミニウム板により形成されているが、この蓋板の周縁が結合された枠部材内には前記表示部の光源であるバックライト部が配置支持されるため、蛍光管が放射する放射光により蓋板が熱膨張し、変形する。また、表示装置が比較的大形の場合、蛍光管の明るさがパルス幅変調信号により制御されるとき蛍光管が振動し、該蛍光管の振動がシャーシに伝播され、熱膨張により変形した前記蓋板が共振することになる。
【０００５】
本発明は斯かる事情に鑑みてなされたものであり、主たる目的はバックライト部を支持するシャーシを、直方体をなす枠部材と、該枠部材の開放部を閉鎖する蓋板とを備え、該蓋板を反らせることにより、バックライト部の振動により蓋板が共振するのを抑制できる表示装置を提供することにある。
【０００６】
また、他の目的は枠部材の複数の周方向位置に結合された補強桟を設け、蓋板を反らせる手段を補強桟に設けることにより、枠部材及び蓋板のバックライト部との共振を低減することができる表示装置を提供することにある。
【０００７】
また、他の目的は補強桟の長手方向両側に二つの第１突起を設け、第１突起間に該第１突起より短い長さの第２突起を設け、第１突起及び第２突起の先端に蓋板を結合することにより、蓋板を簡易に反らせることができる表示装置を提供することにある。
【課題を解決するための手段】
【０００８】
本発明に係る表示装置は、前側に画像表示面を有する表示部の後側に配されたバックライト部と、該バックライト部を支持するシャーシとを備える表示装置において、前記シャーシは、直方体をなす枠部材と、該枠部材の開放部を閉鎖する蓋板とを備え、前記蓋板は熱膨張による変形を抑制すべく反っていることを特徴とする。
【０００９】
この発明にあっては、シャーシの蓋板は強制的に反らしてあり、予め変形させて面方向の張力を加えてあるため、バックライト部が発生する熱により蓋板が変形するのを抑制できる。従って、バックライト部の振動により蓋板が共振するのを抑制でき、蓋板の共振による音鳴りを低減できる。
【００１０】
また、本発明に係る表示装置は、前記シャーシは、前記枠部材の複数の周方向位置に結合された補強桟を備え、前記蓋板を反らせる手段を前記補強桟に設けてあることを特徴とする。
【００１１】
この発明にあっては、シャーシの枠部材、及び蓋板を補強桟により補強することができる。従って、バックライト部の振動により枠部材及び蓋板が振動するのを抑制でき、枠部材及び蓋板のバックライト部との共振を低減することができ、共振による音鳴りをより一層低減できる。
【００１２】
また、本発明に係る表示装置は、前記手段は、前記補強桟の長手方向両側に突設され先端が前記蓋板に結合された二つの第１突起と、第１突起間に該第１突起より短い長さに突設され先端が前記蓋板に結合された第２突起を有することを特徴とする。
【００１３】
この発明にあっては、補強桟を枠部材に結合することにより蓋板を反らせる第１突起及び第２突起を組込むことができ、しかも、第１突起及び第２突起の先端に蓋板を結合することにより該蓋板を反らせることができるとともに、この反り状態を維持することができるため、蓋板を簡易に反らせることができる。従って、蓋板の共振による音鳴りを低減できる割に表示装置のコストを低減できる表示装置を提供することにある。
【発明の効果】
【００１４】
以上詳述したように本発明によれば、シャーシの蓋板を反らし、予め変形させてあるため、バックライト部の振動により蓋板が共振するのを抑制でき、蓋板の共振による音鳴りを低減できる。
【００１５】
また、本発明によれば、バックライト部の振動により枠部材及び蓋板が振動するのを抑制でき、枠部材及び蓋板のバックライト部との共振を低減することができ、共振による音鳴りをより一層低減できる。
【００１６】
また、本発明によれば、補強桟に突設された第１突起及び第２突起により蓋板を簡易に反らせることができ、蓋板の共振による音鳴りを低減できる割に表示装置のコストを低減できる。
【発明を実施するための最良の形態】
【００１７】
以下本発明をその実施の形態を示す図面に基づいて詳述する。図１は本発明に係る表示装置のシャーシの構成を示す概略図、図２は要部の構成を示す断面図、図３は表示装置の一部を拡大した断面図、図４は表示装置の全体の構成を示す分解した概略斜視図である。
【００１８】
図示した表示装置はテレビ画像を表示し、略直方体をなす表示部１と、該表示部１の後側に配されたバックライト部２と、該バックライト部２を支持するアルミニウム製のシャーシ３と、該シャーシ３の後側に取着された電気部品４と、表示部１の前側周縁部を取囲むフロントキャビネット５と、バックライト部２及びシャーシ３の後側を覆うバックキャビネット６と、シャーシ３に取着され表示部１及びバックライト部２を起立状態で支持したスタンド７とを備える液晶テレビである。
【００１９】
表示部１は前側に画像表示面を有する液晶のパネル１ａと、該パネル１ａの後側に配置された光学シート１ｂ及び拡散板１ｃを有する。
【００２０】
バックライト部２は両端部に電極を有する複数の蛍光管２ａ及び蛍光管２ａが放射した光を前記拡散板１ｃ側に反射させる反射板２ｂを備え、蛍光管２ａがパネル１ａと平行的に並置され、夫々の蛍光管２ａの両端部がシャーシ３に支持されており、また、夫々の蛍光管２ａの電極にインバータ回路基板が接続され、パルス幅変調信号により明るさが制御されるように構成されている。
【００２１】
シャーシ３は直方体をなすアルミニウム製の枠部材３１と、周縁部が枠部材３１に結合され該枠部材３１の後側端を閉鎖するアルミニウム製の蓋板３２と、枠部材３１の中央側に離隔配置され、両端が枠部材３１の対向する二辺部に結合された二つの第１の補強桟３３，３３と、枠部材３１の他の二辺部及び第１の補強桟３３，３３の間に配置され、両端が二辺部及び第１の補強桟３３，３３に結合された帯板状の第２の補強桟３４，３４…と、第１の補強桟３３，３３の両端部間に結合された二つの補強板３５，３５と、補強板３５，３５間に結合された第３の補強桟３６とを有する。第１〜第３の補強桟３３，３４，３６及び補強板３５は蓋板３２の後側に配されている。
【００２２】
第２の補強桟３４，３４…は帯板状に形成されており、該補強桟３４，３４…の長手方向両側に二つの第１突起３７，３７が突設され、第１突起３７，３７間に第１突起３７，３７より短い長さの第２突起３８が突設されており、第１突起３７，３７及び第２突起３８の先端に蓋板３２の後面を結合手段により結合し、該蓋板３２を強制的に反らせて蓋板３２の熱膨張による変形を抑制するように面方向の張力を加え、蓋板３２の熱膨張を抑制するようにしてある。第１突起３７，３７及び第２突起３８は補強桟３４に明けられた貫通孔にカシメ加工により固定されているが、その他、補強桟３４と一体に成形された構成としてもよいし、また、補強桟３４に溶接された構成としてもよい。また、蓋板３２は第１突起３７，３７及び第２突起３８に溶着により結合してあるが、その他、カシメ加工、クランプ等の結合手段により結合してもよい。
また、第１及び第３の補強桟３３，３６にも第１突起３７，３７及び第２突起３８が設けられており、夫々の第１突起３７，３７、第２突起３８の先端が蓋板３２の後面に結合され、蓋板３２を反らしている。
【００２３】
電気部品４はインバータ回路基板及び電源基板等を有し、蓋板３２の裏面に取着され、前記インバータ回路基板及び電源基板に前記電源線が接続されている。
【００２４】
以上のように構成された表示装置のバックライト部２はシャーシ３の枠部材３１内に支持されている。シャーシ３は枠部材３１が第１〜第３の補強桟３３，３４，３６及び補強板３５により補強されているため、パルス幅変調信号により蛍光管２ａの明るさが制御されるとき、該蛍光管２ａが振動するとしても、枠部材３１の共振を抑制することができ、しかも、周縁部が枠部材３１に結合された蓋板３２の中途は、第１〜第３の補強桟３３，３４，３６に設けられた第１突起３７，３７及び第２突起３８の先端に結合されて反っており面方向の張力が加えられているため、蛍光管２ａの放射光による蓋板３２の熱膨張を抑制できる。従って、蛍光管２ａの振動により蓋板３２が共振するのを低減でき、共振による音鳴りを低減できる。
【００２５】
尚、以上説明した実施の形態の蓋板３２はアルミニウム製であるが、その他蓋板３２は例えば板厚１〜２の鉄板であってもよい。また、シャーシ３の補強桟の個数、及び配置形態は特に制限されない。
【図面の簡単な説明】
【００２６】
【図１】本発明に係る表示装置のシャーシの構成を示す概略図である。
【図２】本発明に係る表示装置の要部の構成を示す断面図である。
【図３】本発明に係る表示装置の一部を拡大した断面図である。
【図４】本発明に係る表示装置の全体の構成を示す分解した概略斜視図である。
【符号の説明】
【００２７】
１    表示部
２    バックライト部
３    シャーシ
３１  枠部材
３２  蓋板
３３  第１の補強桟（補強桟）
３４  第２の補強桟（補強桟）
３６  第３の補強桟（補強桟）
３７  第１突起
３８  第２突起
【図１】
2007108346.tif 000003
【図２】
2007108346.tif 000004
【図３】
2007108346.tif 000005
【図４】
2007108346.tif 000006